(57)【要約】【課題】液晶表示装置と視野角拡大手段を一体化して測定することなく、それぞれの角度分布を合成し、視野角特性を算出する。【解決手段】液晶表示装置の、異なる輝度レベル毎の光強度の角度分布を取得するとともに、光を拡散させる機能を有する視野角拡大手段の、異なる輝度レベル毎の光強度の角度分布を取得し、前記取得された視野角拡大手段の角度分布を、前記液晶表示装置の上の座標系における角度分布に変換し、前記変換された視野角拡大手段の角度分布と、前記液晶表示装置の角度分布を異なる輝度レベル毎に合成し、前記合成された角度分布から、前記液晶表示装置に前記視野角拡大手段を取り付けた場合の視野角を算出することにより前記課題を解決する。【選択図】図２
2004117796.tif 000002
【特許請求の範囲】
【請求項１】
液晶表示装置の、異なる輝度レベル毎の光強度の角度分布を取得するとともに、光を拡散させる機能を有する視野角拡大手段の、異なる輝度レベル毎の光強度の角度分布を取得し、
前記取得された視野角拡大手段の角度分布を、前記液晶表示装置の上の座標系における角度分布に変換し、
前記変換された視野角拡大手段の角度分布と、前記液晶表示装置の角度分布を異なる輝度レベル毎に合成し、
前記合成された角度分布から、前記液晶表示装置に前記視野角拡大手段を取り付けた場合の視野角を算出することを特徴とする液晶表示装置の視野角算出方法。
【請求項２】
前記合成された角度分布において、異なる輝度レベル間で、強度の序列が入れ代わる最初の角度を、前記液晶表示装置の視野角とする請求項１に記載の液晶表示装置の視野角算出方法。
【請求項３】
液晶表示装置の、異なる輝度レベル毎の光強度の角度分布を取得する手段と、
光を拡散させる機能を有する視野角拡大手段の、異なる輝度レベル毎の光強度の角度分布を取得する手段と、
前記取得された視野角拡大手段の角度分布を、前記液晶表示装置の上の座標系における角度分布に変換する手段と、
前記変換された視野角拡大手段の角度分布と、前記液晶表示装置の角度分布を異なる輝度レベル毎に合成する手段と、
前記合成された角度分布から、前記液晶表示装置に前記視野角拡大手段を取り付けた場合の視野角を算出する手段と、を備えたことを特徴とする液晶表示装置の視野角算出装置。
【発明の詳細な説明】
【０００１】
【発明の属する技術分野】
本発明は、液晶表示装置の視野角算出方法及び装置に係り、特に、液晶表示装置及び視野角拡大手段の輝度レベル毎の角度分布を合成して、得られた角度分布から液晶表示装置の視野角を算出する方法及び装置に関する。
【０００２】
【従来の技術】
液晶表示装置は、その表示画面を見る方向によって、輝度やコントラストあるいは色等が変化し、また階調の反転も生じ画像の見えかたが変化するという、いわゆる視角依存性を有している。
通常、液晶表示装置は、表示画面を正面から（すなわち、表示画面の法線方向から）見た場合に、最も良く見えるように設定されており、表示画面の法線方向と見る方向とのなす角が大きくなる程、反転が生じる等により画像の見えかたが変化する。
【０００３】
このとき、表示画面を正面から見ている観察者に対し、その表示画面の上下左右方向、角度にして何度まで、画像にあまり変化がなく見易いか（画像の表示品質を容認し得るか）を示すものが視野角であり、視野角が大きい程、表示画面を多方面から良く見ることができ、一つの液晶表示装置を同時に多数の者で観察することができる。
【０００４】
そこで、従来、液晶表示装置の視野角を広げるためにさまざまな工夫がなされており、例えば、マイクロレンズアレイ等の光学素子の利用（例えば、特許文献１参照。）あるいは視野角拡大フィルム等の光学補償シート（例えば、特許文献２参照。）などの視野角拡大手段を液晶表示装置の表示画面の観察面に設けることが提案されている。
【０００５】
そして、液晶表示装置に視野角拡大手段を設けた後の視野角を評価（算出）する方法として、従来は、液晶表示装置に視野角拡大手段を一体化させた後、液晶表示装置の異なる輝度レベル毎に、受光器の角度を変化させて光強度分布を計測し、コントラストが１０以上になる角度を視野角として評価する方法（例えば、特許文献３参照。）が用いられていた。
【０００６】
【特許文献１】
特開平７−４３７０４号公報
【特許文献２】
特開平６−１９４６４７号公報
【特許文献３】
特開２００２−９８８３２号公報
【０００７】
【発明が解決しようとする課題】
しかしながら、前記従来の液晶表示装置と視野角拡大手段を一体化して視野角を計測する方法では、計測に多大の時間（例えば５時間以上）を要するという問題があった。
また、従来、液晶表示装置に視野角拡大手段を設けた際に出射される光強度の角度分布を計算で算出する方法は確立されていなかった。従って、液晶表示装置の異なる輝度レベル毎に受光器の角度を変化させ、光強度分布を計測するという方法以外の方法で液晶表示装置の視野角を評価する方法は従来存在しなかった。
【０００８】
さらに、液晶表示装置の製作工程上の理由、あるいは種々のバックライトが用いられている等の理由により、完全に同一な液晶表示装置の角度強度分布を実現することは、非常に困難であり、従って、純粋に複数の異なる視野角拡大手段の優劣を評価することは非常に困難であった。
【０００９】
本発明は、前記従来の問題に鑑みてなされたものであり、従来のように液晶表示装置の異なる輝度レベル毎に受光器の角度を変化させて光強度分布を計測することなく、液晶表示装置と視野角拡大手段の角度分布を合成し、視野角特性を算出することのできる液晶表示装置の視野角算出方法及び装置を提供することを課題とする。
【００１０】
【課題を解決するための手段】
前記課題を解決するために、本発明の第一の態様は、液晶表示装置の、異なる輝度レベル毎の光強度の角度分布を取得するとともに、光を拡散させる機能を有する視野角拡大手段の、異なる輝度レベル毎の光強度の角度分布を取得し、前記取得された視野角拡大手段の角度分布を、前記液晶表示装置の上の座標系における角度分布に変換し、前記変換された視野角拡大手段の角度分布と、前記液晶表示装置の角度分布を異なる輝度レベル毎に合成し、前記合成された角度分布から、前記液晶表示装置に前記視野角拡大手段を取り付けた場合の視野角を算出することを特徴とする液晶表示装置の視野角算出方法を提供する。
【００１１】
また、前記合成された角度分布において、異なる輝度レベル間で、強度の序列が入れ代わる最初の角度を、前記液晶表示装置の視野角とすることが好ましい。
【００１２】
また、同様に前記課題を解決するために、本発明の第二の態様は、液晶表示装置の、異なる輝度レベル毎の光強度の角度分布を取得する手段と、光を拡散させる機能を有する視野角拡大手段の、異なる輝度レベル毎の光強度の角度分布を取得する手段と、前記取得された視野角拡大手段の角度分布を、前記液晶表示装置の上の座標系における角度分布に変換する手段と、前記変換された視野角拡大手段の角度分布と、前記液晶表示装置の角度分布を異なる輝度レベル毎に合成する手段と、前記合成された角度分布から、前記液晶表示装置に前記視野角拡大手段を取り付けた場合の視野角を算出する手段と、を備えたことを特徴とする液晶表示装置の視野角算出装置を提供する。
【００１３】
【発明の実施の形態】
以下、本発明の液晶表示装置の視野角算出方法及び装置について、添付の図面に示される好適実施形態を基に詳細に説明する。
【００１４】
本発明の液晶表示装置の視野角算出方法は、液晶表示装置及び視野角拡大手段の輝度レベル毎の光強度の角度分布を、それぞれ測定あるいは算出し、求められた視野角拡大手段の角度分布を、液晶表示装置の座標系に変換して、各光強度の角度分布を角度成分毎に足し合わすことにより、液晶表示装置に視野角拡大手段を一体化した場合の角度分布を算出するものである。
図１に、本発明に係る液晶表示装置の視野角算出方法を実行する液晶表示装置の視野角算出装置の概略構成を示す。
【００１５】
図１に示すように、本実施形態の液晶表示装置の視野角算出装置１は、液晶表示装置１０の輝度レベル毎の角度分布を測定する測定器１２と、視野角拡大手段１４の輝度レベル毎の角度分布を測定する測定器１６と、座標変換手段１８、角度分布合成手段２０及び視野角算出手段２２を含んで構成される。
座標変換手段１８、角度分布合成手段２０及び視野角算出手段２２は、コンピュータによって構成され、測定器１２、１６で測定された角度分布データを受け取り、それぞれ所定の処理を行うものである。
【００１６】
液晶表示装置１０には、特に限定はなく、ＴＮ型や各種の液晶表示装置が適用可能である。
視野角拡大手段１４としては、特に限定されるものではなく、例えば、視野角拡大ＷＶ（ワイドビュー）フィルム等の視野角拡大機能を有する光学補償シート等が好適に例示される。
また、これらの光強度の角度分布を測定する測定器１２、１６も特に限定されるものではなく、視野角拡大手段１４の種類等に応じて、各種のフォトメータを用いることができる。
【００１７】
座標変換手段１８は、測定器１６で測定された視野角拡大手段１４の角度分布を液晶表示装置１０上の極座標系の角度に変換するものである。これは、液晶表示装置１０と視野角拡大手段１４を別個に測定しているため、それぞれの座標系が異なり、そのままでは、角度分布を合成することができないためである。
角度分布合成手段２０は、座標変換により同じ座標系による角度に変換された視野角拡大手段１４の角度分布を液晶表示装置１０の角度分布と合成するものである。これにより、液晶表示装置１０に視野角拡大手段１４を物理的に一体化した場合の液晶表示装置１０の角度分布が得られる。
視野角算出手段２２は、合成された角度分布から液晶表示装置の視野角を算出するものである。
【００１８】
図２に、本実施形態の作用である液晶表示装置の視野角算出方法の処理の流れをフローチャートで示す。
以下、図２のフローチャートに沿って、本実施形態における処理の流れを説明する。
【００１９】
まず、ステップ１００において、視野角拡大手段を設けていない液晶表示装置１０の、異なる輝度レベルでの階調角度分布を測定器１２によって計測する。この計測の方法は、特に限定はされず、測定器１２としては、任意の測定器（フォトメータ）を用いることができる。
【００２０】
次に、ステップ１１０において、視野角拡大手段１４の光の入射方向毎の角度分布を測定器１６により計測する。すなわち、視野角拡大手段１４への入射光角度分布それぞれの角度毎に視野角拡大手段１４の出射光角度分布を計測する。
【００２１】
なお、実際には視野角拡大手段は液晶表示装置の前面に取り付けられ、液晶表示装置からの出射光が視野角拡大手段に入射されるため、上記測定にあたり、ステップ１００で得られた液晶表示装置１０の角度分布を視野角拡大手段１４への入射光角度分布として利用することができる。
また、測定器１６としては、例えば視野角拡大手段１４が光散乱フィルムである場合には、出射光角度分布を測定する手段として、ゴニオフォトメータを用いることができる。
【００２２】
いま得られた視野角拡大手段１４の出射光角度分布（光強度角度分布）は極座標で表記すると、入射光の方向をΘ＝０、Φ＝０とした個別の座標系で表されることから、これを液晶表示装置１０上で固定した極座標系（ｒ，θ，φ）における角度に変換する必要がある。
そこで、次のステップ１２０において、座標変換手段１８で、視野角拡大手段１４の角度分布を液晶表示装置１０の極座標系に変換する。以下、この座標変換の方法について説明する。
【００２３】
まず、光の入射方向を表すベクトルを、液晶表示装置１０の極座標系で単位ベクトルとして（ｒ，θ，φ）＝（１，θ，φ）と表し、これを直交座標系（ｘ，ｙ，ｚ）に変換する。なお、液晶表示装置１０の直交座標系は、表示画面に垂直な方向をｘ方向とし、右手系の座標系とする。すなわち、表示画面を正面から見て右方向をｙ方向、上方向をｚ方向とする。
【００２４】
まず、（ｘ，ｙ，ｚ）を（１，０，０）に変換する３×３行列Ａを決定する。この変換行列Ａの決定方法としては、例えば、２つのベクトル（ｘ，ｙ，ｚ）と（１，０，０）の両方に直交し、原点を通る軸（ベクトル方程式で表すと、ｔを任意の実数として、ｒ＝ｔ（Ａｘ　，Ａｙ　，Ａｚ　）＝ｔ（０，−ｚ，ｙ）という直線）を回転軸として、この軸の周りに両ベクトルのなす角Ｒだけ回転させる行列を考えることができる。
この角Ｒは、Ｒ＝ａｒｃｃｏｓ（　ｘ／（ｘ２　＋ｙ２　＋ｚ２　）１／２　）として求めることができる。また、行列Ａは、上記回転軸の方向を一般に（Ａｘ　，Ａｙ　，Ａｚ　）とし、回転角をＲとすると、次の式（１）のように表される。
【００２５】
【数１】
2004117796.tif 000003
【００２６】
このとき、直接的に液晶表示装置１０上の座標系で視野角拡大手段１４の角度分布が求まる場合には、このステップでの座標変換に用いる行列Ａは、単位行列とすればよい。
ここで、視野角拡大手段１４の座標系（Θ，Φ）を前記（１，θ，φ）のθとφに代入して変換を行い、最後に再び極座標に直すことにより、視野角拡大手段１４の極座標系から、液晶表示装置１０の極座標系への変換が行われる。
【００２７】
次に、ステップ１３０において、角度分布合成手段２０で、上で変換された視野角拡大手段１４の角度分布を液晶表示装置１０の角度分布に角度毎に足し合わせる。このように、（１）液晶表示装置１０及び視野角拡大手段１４の角度分布を異なる輝度レベルでそれぞれ測定し、（２）視野角拡大手段１４の角度分布を液晶表示装置１０の座標系に変換し、（３）変換された視野角拡大手段１４の角度分布を各入射角度に対する液晶表示装置１０の角度分布に足し合わせる、という（１）、（２）、（３）という３つの工程により、視野角拡大手段１４を用いた液晶表示装置１０のある輝度レベルを表示させたときに液晶表示装置１０から出力されている光の角度分布を算出することができる。
【００２８】
そして、最後にステップ１４０において、視野角算出手段２２で、上で合成された角度分布を用いて液晶表示装置１０の視野角が算出される。これは、合成された角度分布を用いているため、液晶表示装置１０に視野角拡大手段１４を取り付けた場合の液晶表示装置１０の視野角となる。
角度分布を用いて視野角を求める方法は特には限定されず、後述するように、例えばコントラストが１０以上となる角度から視野角を求めてもよいし、あるいは階調反転領域から視野角を求めてもよい。
【００２９】
これにより、従来のように、液晶表示装置１０と視野角拡大手段１４を一体化して、角度を変化させながら多くの測定を繰り返さなくとも、液晶表示装置１０と視野角拡大手段１４の角度分布を合成し、視野角を算出することができ、さまざまな視野角特性を評価することができる。
なお、上記工程（１）において、角度分布を得る際に、測定して求めずに、計算により算出するようにしてもよい。
また、各入射方向における角度分布を算出する際に、例えば、スプライン補間等のデータ補間法を用いて角度分布を算出するようにしてもよい。
【００３０】
上述した方法において、入射する輝度レベルを複数とり、液晶表示装置１０の階調を作成すれば、それぞれの輝度レベルにおける角度分布を算出することができる。このとき、０（黒輝度）と２５５（白輝度）の２つの輝度レベルをとり、その間を等間隔に計８レベル取ることが最も望ましい。さらに、細かい階調の角度分布を計算するには、０と２５５の輝度レベルとその間を等間隔に１６レベルとるようにしてもよい。ただし、この場合には、単純に計算時間も２倍になる点を考慮する必要がある。
【００３１】
前述したように、液晶表示装置の表示画面をある角度方向から見ても、コントラストが変化したり、階調が反転したりせずにある程度の画像品質で見ることのできる範囲を視野角というが、一般に液晶表示装置の視野角として黒輝度と白輝度の比をとったコントラストの概念が用いられ、このコントラストが１０以上になる角度を視野角として評価することが多い。従って、本実施形態では、白と黒の輝度レベルの角度分布を短時間で算出することができるため、液晶表示装置１０のあらゆる方向の視野角も短時間で評価することができる。
【００３２】
実際に上記実施形態の方法で視野角を算出する計算を実行すると略１時間で視野角を算出することができ、従来の液晶表示装置に視野角拡大手段を一体化して計測した場合の約５時間に比べ、本実施形態の方法によれば、従来より大幅に時間を短縮して視野角の評価をすることができるようになった。
また、視野角を算出するのに、上述したようにコントラストが所定値以上となる角度を求める代わりに、階調反転領域を用いることもできる。
【００３３】
例えば、横軸に視角をとり、縦軸に輝度をとったグラフにおいて、グラフが交差している点が階調反転が起こっている場所である。そして、最初に階調反転が起こっている角度を視野角とすることができる。
【００３４】
さらに、本実施形態を用いて、同一の液晶表示装置に対して、異なる視野角拡大手段を適用する際に、視野角拡大手段の優劣を評価して、最適な視野角拡大手段を短時間で選択することもできる。
この最適な視野角拡大手段の評価は、コントラストが１０以上となる角度（視野角）によって評価されるが、これに限定されるものではなく、例えば、コントラストが１０以上の等コントラスト曲線を描いたとき、それによって囲まれる領域の面積を１つの指標として評価するようにしてもよい。
【００３５】
また、３つ以上の輝度レベルの角度分布を有する場合には、その角度分布の序列が反転する第一番目の（最初の）角度を視野角として評価（決定）するようにしてもよい。
さらに、複数の液晶表示装置と複数の視野角拡大手段があった場合にも、本実施形態の視野角算出方法を用いることにより、最適な組み合わせを短時間で決定することができる。
【００３６】
以上説明したように、上記実施形態によれば、従来より短時間で視野角を算出ことができる。しかし、これよりもさらに時間を短縮したい場合には、次に説明するような、本実施形態の他の例を用いることができる。
すなわち、この例は、次に示す、一般に極座標系において、オイラー角を利用した３次元のＣｏｎｖｏｌｕｔｉｏｎ　積分の式（２）を用いて計算するものである。
【００３７】
液晶表示装置の階調数をｉとし、液晶表示装置の階調角度分布をＤｉ　（θ，φ）とし、視野角拡大フィルムの角度分布をＦ（θ’，φ’）としたとき、視野角拡大手段取り付け後の階調角度分布Ｇｉ　（θ，φ）は、次の式（２）で表される。
Ｇｉ　（θ，φ）＝∫∫Ｄｉ　（θ，φ）・Ｆ（θ’−θ，φ’−φ）ｄθ’ｄφ’・・・（２）
【００３８】
なお、上述した本実施形態の系においては、回転や平行移動に伴う変換行列の可換性が保証されないため、厳密には上記式（２）が成立しないが、今回、本願発明に係る発明者等が鋭意検討した結果、一次近似的に視野角を評価する場合には、本手法で得られる角度分布を使用することができる場合があることがわかった。
式（２）で得られた階調の角度分布から、前記と同様にしてコントラストを計算することや、角度分布の反転角を調べることで視野角を評価することができる。上記式（２）を用いて計算したところ約３０分程度で視野角の評価をすることができた。
【００３９】
以下、より具体的な実施例について説明する。
（実施例）
液晶表示装置としてＴＮ型液晶表示セルを使用したシャープ（株）社製液晶表示装置６Ｅ−Ａ３を使用した。また、視野角拡大手段としては、特開平１１−１６０５０５号公報、特開２０００−３３８３１０号公報に記載された方法を用いて作成された光拡散フィルムを使用した。
また、測定器としてＥＬＤＩＭ社製ＥＺ−Ｃｏｎｒｒａｓｔ１６００Ｄ　を用いて視野角拡大手段を設けていない前記液晶表示装置６Ｅ−Ａ３の階調角度分布を測定した結果を図３に示す。
【００４０】
図３において、図中央の点は、液晶表示装置の表示画面中央を示し、同心円状の目盛り線（θ＝０、３０、６０）は、表示画面中央における法線と視線とのなす角（極角）を表し、外周に表示されたφ＝０、４５、９０、・・・、３１５等の角は、表示画面から見て、右方向を０°として、反時計回りに測った角（方位角）を表している。
また、図中の各領域は、輝度レベル０（黒輝度）と、輝度レベル２５５（白輝度）に対する角度分布の差をとり、コントラストを求めて表示したものである。図３において、中心部が最もコントラストが高く、周辺部の上下左右が最もコントラストが低くなっている。
【００４１】
また、前記光拡散フィルムの角度強度分布を村上色彩技術研究所製のゴニオフォトメータを用いて計測した結果を図４に示す。
図４は、同心円の中央に縦方向（外周に表示された角度９０と２７０を結ぶ直線上に置かれた光拡散フィルムに、図に矢印で示すように図の左側から光をあてて、図の右側から光拡散フィルムを透過した光を測定た場合の角度分布を示すものである。外周に表示された角度は入射光の方向（フィルム面の法線方向）を０°とし、光拡散フィルムに直交し、光軸を含む平面上で反時計回りに測った角度である。
また、同心円の０．１、０．２、・・・等の数字は光強度を対数目盛りで表示したものである。
図に示すように、まっすぐ正面（透過光の方向）から見た場合（方位角０°）が最も強度が大きく、真横（方位角９０°および２７０°）では光強度は０である。また、反対側（方位角９０°〜２７０°）にも光が反射されて出ていることがわかる。
【００４２】
これに対し、図２にフローチャートで示した本発明の方法を実行し、出射光角度分布を算出した。
図５に、黒（Ｋ、輝度０）、黒灰（Ｒ、輝度３１）、灰（Ｙ、輝度６３）、白灰（Ｂ、輝度９５）、白（Ｗ、輝度２５５）について、輝度レベル毎の液晶表示装置の下方向の階調角度分布を抜き出したものを示す。本実施例では、あらゆる方向の階調角度分布を計算しているため、下方向以外の方向でも階調反転角を評価することができるが、現在ＴＮ型液晶表示装置では、下方向の階調反転角が最も狭く良く評価されることから、図５では、下方向の階調角度分布のみを抜き出したものである。
【００４３】
図５は、横軸が下方向の視角を表し、縦軸が輝度を表している。この図において、グラフが交差している点が階調反転が起こっている場所である。最初に階調反転が起こっている角度が視野角である。図５より、この場合、ＲのグラフとＹのグラフが交差している角度が視野角であり、視野角は略４３°であることがわかる。
これは、実際に液晶表示装置に視野角拡大手段を一体化して計測して得られた結果と略一致する。
【００４４】
図６に、前記反転角の計算による値と、実測値とを比較したグラフを示す。図６からわかるように、計算値と実測値との組を点で表してプロットしたものを結ぶと略傾き１の直線となっており、計算値と実測値が非常に良く一致していることがわかる。
【００４５】
また、前記液晶表示装置に対し、３つの光拡散フィルムＡ、Ｂ、Ｃを用意し、これについて角度分布を算出し、優劣の評価を行った。それぞれの光拡散フィルムＡ、Ｂ、Ｃで階調角度分布を計算すると、視野角はそれぞれＡは４３°、Ｂは５０°、Ｃは５３°となった。従って、この場合、今回用いた液晶表示装置の視野角を最も拡大する能力が高いのは、Ｃの光拡散フィルムであることがわかる。
【００４６】
以上詳細に説明したように、本実施形態によれば、視野角拡大手段を液晶表示装置と物理的に一体化することなく、一体化後の液晶表示装置の角度分布を合成することができる。また、この合成方法を用いて、２つ以上の輝度レベルの合成角度分布から用意にかつ短時間に視野角特性を評価することが可能となる。
また、１つの固定された液晶表示装置に対する複数の異なる視野角拡大手段の優劣を簡単に評価することができるとともに、複数の液晶表示装置と視野角拡大手段の中から、最適な組み合わせを、それぞれを一体化させることなく、簡単に短時間で判断することができる。
【００４７】
以上、本発明の液晶表示装置の視野角算出方法及び装置について、詳細に説明したが、本発明は、以上の実施形態に限定されるものではなく、本発明の要旨を逸脱しない範囲において、各種の改良や変更を行ってもよいのはもちろんである。
【００４８】
【発明の効果】
以上、説明した通り、本発明によれば、液晶表示装置と視野角拡大手段を一体化して測定することなく、それぞれの角度分布を合成し、視野角を簡単に短時間で算出することができ、２つ以上の輝度レベルの合成角度分布から用意にかつ短時間に視野角特性を評価することが可能となる。
また、本発明の結果を利用することにより、視野角拡大手段の優劣を簡単に評価することができるとともに、複数の液晶表示装置と視野角拡大手段の中から、最適な組み合わせを、それぞれを一体化させることなく、簡単に短時間で判断することが可能となる。
【図面の簡単な説明】
【図１】本発明に係る液晶表示装置の視野角算出方法を実行する液晶表示装置の視野角算出装置の概略構成を示すブロック図である。
【図２】本発明に係る液晶表示装置の視野角算出方法の処理の概略を示すフローチャートである。
【図３】ＴＮ型液晶セルを使用した液晶表示装置について、階調角度分布を測定した結果を示す説明図である。
【図４】光拡散フィルムの角度強度分布をゴニオフォトメータを用いて計測した結果を示す線図である。
【図５】輝度レベル毎の液晶表示装置の下方向の階調角度分布を抜き出して示す線図である。
【図６】反転角の、計算による値と、実測値とを比較して示す線図である。
【符号の説明】
１　　液晶表示装置の視野角算出装置
１０　液晶表示装置
１２、１６　測定器
１４　視野角拡大手段（視野角拡大フィルム）
１８　座標変換手段
２０　角度分布合成手段
２２　視野角算出手段
【図１】
2004117796.tif 000004
【図２】
2004117796.tif 000005
【図３】
2004117796.tif 000006
【図４】
2004117796.tif 000007
【図５】
2004117796.tif 000008
【図６】
2004117796.tif 000009